(57)【要約】      （修正有）【課題】粘着シートを保持して位置がずれないようにしたままの状態で、先に粘着面の全面を貼り付けることができるとともに、簡単な動作と小さな力で、粘着シートを保持するための部分をはがすことができ、貼った後の状態では不要で邪魔な部分が残らない身体貼り付け粘着シートを提供する。【解決手段】一方の面に粘着面が設けられた粘着シート本体１と、粘着シート本体１の粘着面には剥離シートが貼付され、粘着シート本体１の粘着面とは反対側の反対面にはキャリアシート３が貼付され、３層からなる粘着シートであって、キャリアシート３には、粘着シート本体１の中央部分を覆って粘着される第一剥離紙３１と、第一剥離紙３１の周辺部分を覆って粘着される第二剥離紙３２とが備えられ、第二剥離紙３２には、粘着シート本体１の一端の外側に持ち手部３３が設けられるとともに、他の一端には切れ目部３４が設けられる。【選択図】図２
0003217444.tif 000002
【実用新案登録請求の範囲】
【請求項１】
一方の面に粘着面が設けられた粘着シート本体と、
粘着シート本体の粘着面には剥離シートが貼付され、
粘着シート本体の粘着面とは反対側の反対面にはキャリアシートが貼付され、３層からなる粘着シートであって、
前記キャリアシートには、粘着シート本体の中央部分を除く周辺部分を覆って粘着される第二剥離紙が備えられ、
前記第二剥離紙には、粘着シート本体の一端の外側に持ち手部が設けられるとともに、他の一端には切れ目部が設けられたことを特徴とする、身体貼り付け粘着シート。
【請求項２】
前記キャリアシートには、粘着シート本体の中央部分を覆って粘着される第一剥離紙と、第一剥離紙の周辺部分を覆って粘着される第二剥離紙とが備えられ、
前記第二剥離紙には、粘着シート本体の一端の外側に持ち手部が設けられるとともに、他の一端には切れ目部が設けられたことを特徴とする、請求項１に記載の身体貼り付け粘着シート。
【請求項３】
前記の粘着シート本体は、伸縮性基材からなることを特徴とする、請求項１または２のいずれかに記載の身体貼り付け粘着シート。
【請求項４】
前記の剥離シートには、剥離シートを分割する切れ目線が設けられたことを特徴とする、請求項１〜３のいずれかに記載の身体貼り付け粘着シート。
【請求項５】
前記の切れ目線は、波線状であることを特徴とする、請求項４に記載の身体貼り付け粘着シート。
【考案の詳細な説明】
【技術分野】
【０００１】
本考案は、身体貼り付け粘着シートに関する。
【背景技術】
【０００２】
従来より、医療用、あるいはスポーツ用のテーピングが知られている。
テーピング（taping）とは、スポーツ選手が負傷の予防や、負傷した部位の悪化を防止するため、関節、筋肉などにテープを巻いて固定するものや、捻挫や骨折などの際に救急措置あるいは治療用に施される医療分野のものもある。
さらにこうした狭義のテーピング以外にも、各種の粘着テープ、粘着シートを身体の部位に貼り付けることは、スポーツ用サポーターや、絆創膏、湿布用の各種粘着テープや粘着シート、医療用の各種粘着テープや粘着シート、その他の各種のものが知られ、用いられている。
【０００３】
たとえば特願平９−８６５９５「テーピング用テープ」においては、筋肉の伸縮に追従できる伸縮性を有し、関節部あるいは筋肉の動作を適宜に規制して機能補助や機能障害時の保護などをするためのテープが開示されている。伸縮性を有するゴム材からなる帯状のテープ本体の片面に、少なくとも長手方向に伸縮性を有した布帯体を一体に結合した構成し、またテープ本体に多数の通気孔を設けたり、布帯体の表面に粘着剤層を設けその表面に剥離シートを装着するなどしたものである。
【０００４】
あるいは、実用新案登録第３１３８６３９号「テーピングテープ」においては、剥離紙を剥離しやすくしたテ−ピングテ−プが開示されている。
帯体の表面に粘着剤層を装着し、剥離紙を貼着したテ−ピングテ−プにおいて、剥離紙に切目線を刻設して剥離しやすくしたものであり、身体に貼り付ける際に所望の長さに剥離紙を切りやすいようにし、貼り付け動作を楽にしようとするものである。
【考案の概要】
【考案が解決しようとする課題】
【０００５】
このように、各種の医療用あるいはスポーツ用などの粘着テープ、粘着シートを使用するにあたっては、身体の様々な部位に貼り付けるものであり、特に、自分で貼り付け動作を行うためには、貼り付ける部位によっては、作業が困難な体勢になったり、正しい位置や向きに貼り付けることが難しい場合もあり、貼り付けに時間がかかるという問題があった。
【先行技術文献】
【特許文献】
【０００６】
【特許文献１】特開２００６−３１２７０１号公報
【特許文献２】特開２０１０−７５５９１号公報
【０００７】
特開２００６−３１２７０１「粘着シート」においては、剥離紙を剥がすことや剥離紙を剥がしたあとの貼付けを容易にした絆創膏、湿布、指紋取りシール、ステッカー等の粘着シートが開示されている。
この発明によれば、下記のようなものである。
粘着シート本体の長手方向一端より粘着面の略三分の二乃至五分の四を覆って第一剥離紙を粘着させる。第一剥離紙の他端側には幅が元の幅より小さくなって延設された引っぱり摘み部を形成し、これを粘着シート本体の一端側に折り曲げておく。
そして、引っぱり摘み部先端を外部へと露出させた状態で第一剥離紙の他端側の一部分と粘着シート本体の第一剥離紙で覆われていない粘着面全体を覆って第二剥離紙を粘着させる。引っぱり摘み部先端をガイドに第一剥離紙との重なり部分に指をかけ第二剥離紙を剥がす。露出した粘着面で貼付け対象位置に仮止めし、次に、引っぱり摘み部を摘んで第一剥離紙を完全に剥がし貼付けを完了する。
【０００８】
上記発明によれば、粘着シートを貼り付ける位置に持ってきた上で、剥離紙の一部をはがした後に、剥離紙に設けられた引っぱり摘み部を持って保持し、剥離紙をはがした部分を貼り付け、その後に残りの剥離紙をはがすことができる。
しかしながら、上記発明においては、引っぱり摘み部が設けられた剥離紙は、粘着面側に設けられている。
したがって、引っぱり摘み部を保持して位置がずれないようにしたままの状態で、先に粘着面の全面を貼り付けることができない。
また、引っぱり摘み部が設けられた残りの剥離紙は、少なくともその幅が粘着シートの幅全体に張られているので、その面積が大きく、粘着シートからはがすのに力が必要となり、うまくはがすことが難しくなるおそれがある。
さらに、引っぱり摘み部が設けられた残りの剥離紙をはがす際に、この剥離紙は粘着面に設けられており、しかもその面積が大きいので、せっかく所定位置に保持した粘着シートの位置が、この時にずれてしまうおそれがある。
【０００９】
また、特開２０１０−７５５９１「絆創膏」においては、特に指先等の狭い部分に負った創傷部位をカバーするための絆創膏で、小さな創傷部位に正確に、かつ、スピーディーに貼付することができる絆創膏が開示されている。
この発明は、創傷部位に正確に貼り付ける絆創膏であって、一方の面に粘着剤層を有する伸縮性基材の粘着剤層に剥離材が貼付され、伸縮性基材の粘着剤層とは反対側の面に伸縮性のないキャリアシートが積層され、さらに同キャリアシートの伸縮性基材と反対側の面に補助テープが積層されてなり、同補助テープは補助シートと、同補助シートの少なくとも一部分にキャリアシートに貼付される粘着剤層を有してなる絆創膏である。
しかしながら、上記発明においては、キャリアシートの伸縮性基材と反対側の面に補助テープが積層されており、この補助テープを持って貼り付けることにより、絆創膏を保持して位置がずれないようにしたままの状態で、先に粘着面の全面を貼り付けることはできる。
しかしながら、この発明によれば、補助テープの部分もそのまま身体に貼り付けることとなり、しかもその部分には絆創膏の機能がなく、粘着する機能のみがあるために、貼った後の状態では不要なものであり、貼りつける部位によっては邪魔である。
【００１０】
そこで本考案においては、上記の様々な課題を解決し、医療用、あるいはスポーツ用のテーピング、その他のテープまたはシート状の粘着シートであって、粘着シートを保持して位置がずれないようにしたままの状態で、先に粘着面の全面を貼り付けることができるとともに、簡単な動作と小さな力で、粘着シートを保持するための部分をはがすことができ、貼った後の状態では不要で邪魔な部分が残らない身体貼り付け粘着シートを提供することを目的とする。
【考案の開示】
【課題を解決するための手段】
【００１１】
上記課題を解決するため、請求項１に記載の考案は、
一方の面に粘着面が設けられた粘着シート本体と、
粘着シート本体の粘着面には剥離シートが貼付され、
粘着シート本体の粘着面とは反対側の反対面にはキャリアシートが貼付され、３層からなる粘着シートであって、
前記キャリアシートには、粘着シート本体の中央部分を除く周辺部分を覆って粘着される第二剥離紙とが備えられ、
前記第二剥離紙には、粘着シート本体の一端の外側に持ち手部が設けられるとともに、他の一端には切れ目部が設けられた、身体貼り付け粘着シートであることを特徴とする。
【００１２】
上記課題を解決するため、請求項２に記載の考案は、
前記キャリアシートには、粘着シート本体の中央部分を覆って粘着される第一剥離紙と、第一剥離紙の周辺部分を覆って粘着される第二剥離紙とが備えられ、
前記第二剥離紙には、粘着シート本体の一端の外側に持ち手部が設けられるとともに、他の一端には切れ目部が設けられた、請求項１に記載の身体貼り付け粘着シートであることを特徴とする。
【００１３】
上記課題を解決するため、請求項３に記載の考案は、
前記の粘着シート本体は、伸縮性基材からなる、請求項１または２のいずれかに記載の身体貼り付け粘着シートであることを特徴とする。
【００１４】
上記課題を解決するため、請求項４に記載の考案は、
前記の剥離シートには、剥離シートを分割する切れ目線が設けられた、請求項１〜３のいずれかに記載の身体貼り付け粘着シートであることを特徴とする。
【００１５】
上記課題を解決するため、請求項５に記載の考案は、
前記の切れ目線は、波線状である、請求項４に記載の身体貼り付け粘着シートであることを特徴とする。
【考案の効果】
【００１６】
本考案によれば、医療用、あるいはスポーツ用のテーピング、その他のテープまたはシート状の粘着シートであって、粘着シートを保持して位置がずれないようにしたままの状態で、先に粘着面の全面を貼り付けることができるとともに、簡単な動作と小さな力で、粘着シートを保持するための部分をはがすことができ、貼った後の状態では不要で邪魔な部分が残らない身体貼り付け粘着シートを提供することができる。
【図面の簡単な説明】
【００１７】
【図１】本考案の身体貼り付け粘着シートの基本的な構成の一例を示す平面図及び断面図であり、左は反対面側から見た平面図、中央はそのＡ−Ａ線、断面図、右は粘着面側から見た平面図である。下の左右はそれぞれの平面図のＢ−Ｂ線断面図である。
【図２】図１に示す身体貼り付け粘着シートの各平面図および各断面図の、図１に続く使用時の状態を示す各図である。
【図３】図１に示す身体貼り付け粘着シートの各平面図および各断面図の、図２に続く使用時の状態を示す各図である。
【図４】図１に示す身体貼り付け粘着シートの各平面図および各断面図の、図３に続く使用時の状態を示す各図である。
【図５】剥離シートを分割する切れ目線が設けられた、本考案の身体貼り付け粘着シートの別の構成の一例を示す平面図及び断面図であり、左は反対面側から見た平面図、中央はそのＡ−Ａ線、断面図、右は粘着面側から見た平面図である。下の左右はそれぞれの平面図のＢ−Ｂ線断面図である。
【図６】剥離シートを分割する波線状の切れ目線が設けられた、本考案の身体貼り付け粘着シートの別の構成の一例を示す平面図及び断面図であり、左は反対面側から見た平面図、中央はそのＡ−Ａ線、断面図、右は粘着面側から見た平面図である。下の左右はそれぞれの平面図のＢ−Ｂ線断面図である。
【図７】図６に示す身体貼り付け粘着シートの各平面図および各断面図の、図６に続く使用時の状態を示す各図である。
【図８】図６に示す身体貼り付け粘着シートの各平面図および各断面図の、図７に続く使用時の状態を示す各図である。
【図９】図６に示す身体貼り付け粘着シートの各平面図および各断面図の、図８に続く使用時の状態を示す各図である。
【図１０】図６に示す身体貼り付け粘着シートの各平面図および各断面図の、図９に続く使用時の状態を示す各図である。
【考案を実施するための形態】
【００１８】
（本考案の構成）
以下、本考案の実施形態について、図面を参照して説明する。
図１、及び各図面を参照しながら、本考案の身体貼り付け粘着シートについて説明する。
【００１９】
本考案の身体貼り付け粘着シートは、一方の面に粘着面（１１）が設けられた粘着シート本体（１）を備えている。
図１は、本考案の身体貼り付け粘着シートの基本的な構成の一例を示す平面図及び断面図であり、左は反対面側から見た平面図、中央はそのＡ−Ａ線、断面図、右は粘着面側から見た平面図である。下の左右はそれぞれの平面図のＢ−Ｂ線断面図である。
図２〜図４は、図１に示す身体貼り付け粘着シートの各平面図および各断面図の、図１に続く使用時の状態を示す各図であり、これらについては後述する。
【００２０】
粘着面（１１）は、身体に貼り付けられる面であり、粘着剤の層が設けられている。
粘着シート本体（１）は、伸縮性基材からなるものであってもよく、伸縮性のないものであってもよい。また、粘着シート本体（１）には、各種の素材を採用することができ、テープやシート状のもの、防水のもの、網目状のものなど、各種を採用することができる。
各図面においては、テープ状、長方形の粘着シートが図示されているが、形状や大きさには限定されず、テープ状のものや正方形、円形、楕円形、角が丸みを帯びているもの、その他の各種形状を採用することができる。
【００２１】
次に、本考案の身体貼り付け粘着シートは、粘着シート本体（１）の粘着面（１１）には剥離シート（２）が貼付されている。
剥離シート（２）は、身体貼り付け粘着シートを製品として流通、保管しておく際の台紙としての機能を有するものであり、剥離シート（２）からは容易に粘着シート本体（１）をはがせるようにした粘着剤等により貼り付けられている。
【００２２】
剥離シート（２）には、剥離シートを分割する切れ目線（２１）を設けておくことができる。切れ目線（２１）は、完全に切れているものや、点線状の切れ目線が設けられているもの、切れ目線（２１）の両側の剥離シート（２）が、一部は重なり合っているものなど、様々な形態を採用することができる。
切れ目線（２１）を設けて、剥離シート（２）を一部だけはがすことにより、粘着面（１１）の一部だけがまず露出するので、慎重な位置決め、貼り付け動作をすることができる。
図５は、剥離シートを分割する切れ目線が設けられた、本考案の身体貼り付け粘着シートの別の構成の一例を示す平面図及び断面図であり、左は反対面側から見た平面図、中央はそのＡ−Ａ線、断面図、右は粘着面側から見た平面図である。下の左右はそれぞれの平面図のＢ−Ｂ線断面図である。
【００２３】
剥離シート（２）に設けられた切れ目線（２１）は、波線状とすることができる。切れ目線（２１）に沿って剥離シート（２）の一部をはがすために摘む動作を容易にすることができる。
この他にも、切れ目線（２１）は、様々な形状を採用することができ、切れ目線（２１）を複数本設けることもできる。
図６は、剥離シートを分割する波線状の切れ目線が設けられた、本考案の身体貼り付け粘着シートの別の構成の一例を示す平面図及び断面図であり、左は反対面側から見た平面図、中央はそのＡ−Ａ線、断面図、右は粘着面側から見た平面図である。下の左右はそれぞれの平面図のＢ−Ｂ線断面図である。
図７〜図１０は、図６に示す身体貼り付け粘着シートの各平面図および各断面図の、図１に続く使用時の状態を示す各図であり、これらについては後述する。
【００２４】
次に、本考案の身体貼り付け粘着シートは、粘着シート本体の粘着面とは反対側の反対面（１２）にはキャリアシート（３）が貼付されている。
キャリアシート（３）は、粘着テープ本体が汚れたり劣化したりしないように保護しておくとともに、貼り付け動作を行う際に手に持って保持し、貼り付け部位の位置決めを容易にするための持ち手機能を有するものであり、剥離シート（２）からは容易に粘着シート本体（１）をはがせるようにした粘着剤等により貼り付けられている。
以上の構成により、本考案の身体貼り付け粘着シートは、図１、図５、図６に示されるように、剥離シート（２）、粘着シート本体（１）、キャリアシート（３）の３層からなる粘着シートとなっている。
【００２５】
次に、キャリアシート（３）には、好ましい一例では、粘着シート本体（１）の中央部分を覆って粘着される第一剥離紙（３１）と、第一剥離紙の周辺部分を覆って粘着される第二剥離紙（３２）とが備えられている。
第一剥離紙（３１）は、粘着シート本体（１）の中央部分を覆っており、粘着テープ本体が汚れたり劣化したりしないように保護する機能を有しており、貼り付ける際には不要なため、最初にはがす部分である。
なお、粘着テープ本体が汚れたり劣化したりしないように保護する機能が不要な場合、あるいは粘着テープ本体自体に汚れたり劣化したりしないように保護する機能が備えられている場合には、第一剥離紙（３１）はもともとなくてもよい。
【００２６】
次に、第二剥離紙（３２）には、粘着シート本体（１）の一端の外側に持ち手部（３３）が設けられている。これにより、貼り付け動作を行う際に手に持って保持し、貼り付け部位の位置決めを容易にするための持ち手として機能する。
第一剥離紙（３１）は先にはがしておき、少なくともその部分には第二剥離紙（３２）がないために、キャリアシート（３）の第二剥離紙（３２）の面積は小さく、粘着シート本体（１）からはがすのに小さな力でうまくはがすことができる。
【００２７】
さらに、第二剥離紙（３２）には、粘着シート本体（１）の他の一端には切れ目部（３４）が設けられていることが好ましい。これにより、さらに簡単な動作と小さな力で、粘着シートを保持するための持ち手部（３３）を含む部分をはがすことができ、貼った後の状態では不要で邪魔な部分が残らない身体貼り付け粘着シートを提供することができる。
【００２８】
（本考案の使用例１）
次に、図１から図４を参照して、本考案の身体貼り付け粘着シートの使用時の状態を説明する。
図１は、本考案の身体貼り付け粘着シートの基本的な構成の一例を示す平面図及び断面図であり、左は反対面側から見た平面図、中央はそのＡ−Ａ線、断面図、右は粘着面側から見た平面図である。下の左右はそれぞれの平面図のＢ−Ｂ線断面図である。
前記の通り、本考案の身体貼り付け粘着シートは、剥離シート（２）、粘着シート本体（１）、キャリアシート（３）の３層となっている。
初めに、身体貼り付け粘着シートを、その台紙である剥離シート（２）からはがす動作を行う。図２は、剥離シート（２）をはがした状態を示している。図１に示す身体貼り付け粘着シートの各平面図および各断面図の、図１に続く使用時の状態を示している。
次に、図２の状態から、キャリアシート（３）の内の、第一剥離紙（３１）をはがす動作を行う。図３は、第一剥離紙（３１）をはがした状態を示している。図２に続く使用時の状態を示す各図である。
次に、持ち手部（３３）を手に持って、身体貼り付け粘着シートを保持し、貼り付け部位にあてがうなどして位置決めを行い、次いで持ち手部（３３）を引っ張る動作をすることにより、切れ目部（３４）及びこれに連なる第二剥離紙（３２）が容易にはがれ、貼り付けられた図４の状態が完成する。図４は、図３に続く使用時の状態を示す各図である。
【００２９】
（本考案の使用例２）
次に、図６から図１０を参照して、図６に示す本考案の身体貼り付け粘着シートの使用時の状態を説明する。
図６は、本考案の身体貼り付け粘着シートの基本的な構成の一例を示す平面図及び断面図であり、左は反対面側から見た平面図、中央はそのＡ−Ａ線、断面図、右は粘着面側から見た平面図である。下の左右はそれぞれの平面図のＢ−Ｂ線断面図である。
前記の通り、本考案の身体貼り付け粘着シートは、剥離シート（２）、粘着シート本体（１）、キャリアシート（３）の３層となっている。
又、図６に示される例では、剥離シート（２）には、波線状の切れ目線（２１）が設けられている。
初めに、剥離シート（２）の一部を、切れ目線（２１）のところまではがす動作を行う。これにより、貼り付け部位にあてがうなどしておおまかな位置決めをまず行うなどすることができる。図７は、剥離シート（２）の一部をはがした状態を示している。図６に示す身体貼り付け粘着シートの各平面図および各断面図の、図６に続く使用時の状態を示している。
次に、残りの剥離シート（２）をはがす動作を行う。図８は、残りの剥離シート（２）をはがした状態を示している。図７に続く使用時の状態を示している。
次に、図８の状態から、キャリアシート（３）の内の、第一剥離紙（３１）をはがす動作を行う。図９は、第一剥離紙（３１）をはがした状態を示している。図８に続く使用時の状態を示す各図である。
次に、持ち手部（３３）を手に持って、身体貼り付け粘着シートを保持し、貼り付け部位にあてがうなどして位置決めを行い、次いで持ち手部（３３）を引っ張る動作をすることにより、切れ目部（３４）及びこれに連なる第二剥離紙（３２）が容易にはがれ、貼り付けられた図１０の状態が完成する。図１０は、図９に続く使用時の状態を示す各図である。
【産業上の利用可能性】
【００３０】
以上詳細に説明したように、本考案によれば、医療用、あるいはスポーツ用のテーピング、その他のテープまたはシート状の粘着シートであって、粘着シートを保持して位置がずれないようにしたままの状態で、先に粘着面の全面を貼り付けることができるとともに、簡単な動作と小さな力で、粘着シートを保持するための部分をはがすことができ、貼った後の状態では不要で邪魔な部分が残らない身体貼り付け粘着シートを提供することができる。
【符号の説明】
【００３１】
１  粘着シート本体
１１  粘着面
１２  反対面
２  剥離シート
２１  切れ目線
３キャリアシート
３１  第一剥離紙
３２  第二剥離紙
３３  持ち手部
３４  切れ目部
【図１】
0003217444.tif 000003
【図２】
0003217444.tif 000004
【図３】
0003217444.tif 000005
【図４】
0003217444.tif 000006
【図５】
0003217444.tif 000007
【図６】
0003217444.tif 000008
【図７】
0003217444.tif 000009
【図８】
0003217444.tif 000010
【図９】
0003217444.tif 000011
【図１０】
0003217444.tif 000012